(57)【要約】【課題】ユーザが極力誤認識することなく施設情報を表示させることができるようにした施設表示データ作成装置、施設表示システム、および施設表示用データ作成プログラムを提供する。【解決手段】サーバ又はクライアントは、第１施設情報が示す何れかの施設と第２施設情報が示す何れかの施設とが一致するか否か判定し（Ｓ６、Ｓ７、Ｓ１０〜Ｓ１３、Ｓ１６）、各種条件を満たすときに、検索結果Ｄ２の施設情報Ｄｂを検索結果Ｄ１の施設情報Ｄａと同一施設と判断し、検索結果Ｄ２の施設情報Ｄｂと検索結果Ｄ１の施設情報Ｄａとを一致させて施設情報Ｄｃとして挿入する（Ｓ８、Ｓ１７、Ｓ１８）。【選択図】図６
2014085127.tif 000002
【特許請求の範囲】
【請求項１】
入力データに応じて第１データベース（ＤＢ１）から１又は複数の第１施設情報（Ｄ１）を出力させる第１手段（１１，２１，３１）と、
前記入力データに応じて第２データベース（ＤＢ２）から１又は複数の第２施設情報（Ｄ２）を出力させる第２手段（１１，２１，３１）と、
前記第１施設情報（Ｄ１）が示す何れかの施設と前記第２施設情報（Ｄ２）が示す何れかの施設とが一致するか否か判定する第３手段（１１，２１，３１）と、
前記第１及び第２施設情報（Ｄ１及びＤ２）を複合して所定位置からの距離順にソートして表示させる表示用データを生成する手段であり、前記第３手段（１１，２１，３１）により一致すると判定されたことを条件として前記一致した施設の施設情報を距離順に関わらず隣接して表示させるための表示用データを生成する第４手段（１１，１１ａ，２１，３１）と、を備えることを特徴とする施設表示データ作成装置（６，８，２，３）。
【請求項２】
前記所定位置から前記一致した施設までの距離を、前記第１及び第２施設情報が示す位置までの距離の何れかに一致させて前記一致した施設の双方の施設情報と共に当該距離情報を表示させるための表示用データを生成する第５手段（１１，１１ａ，２１，３１）を備えることを特徴とする請求項１記載の施設表示データ作成装置（６，８，２，３）。
【請求項３】
前記第５手段（１１，１１ａ，２１，３１）は、前記距離情報の表示用データをクライアント（８，２，３）側の現在位置情報検出部（２２，３２）にて検出される位置情報を用いて表示用データを作成することを特徴とする請求項２記載の施設表示データ作成装置（６，８，２，３）。
【請求項４】
前記第１データベース（ＤＢ１）によるサービス提供元又はデータ提供元を示す第１アイコンを表示させると共に前記第２データベース（ＤＢ２）によるサービス提供元又はデータ提供元を示す第２アイコンを表示させるための表示用データを生成する手段であり、前記第４手段（１１，１１ａ，２１，３１）が一致した施設の施設情報を隣接して双方を表示させる表示用データを生成する際に一致した施設の双方の施設情報にそれぞれ紐付けて前記第１及び第２アイコンを表示させるための表示用データを生成する第６手段（１１，１１ａ，２１，３１）を備えることを特徴とする請求項１〜３の何れかに記載の施設表示データ作成装置（６，８，２，３）。
【請求項５】
前記第３手段（１１，２１，３１）は、
前記第１及び第２施設情報（Ｄ１及びＤ２）のそれぞれの施設が双方一致するか否か判定するときに、
前記第１及び第２の施設情報（Ｄ１及びＤ２）が施設の名称に関わらず電話番号一致の条件を満たすときに一致すると判定することを特徴とする請求項１〜４の何れかに記載の施設表示データ作成装置（６，８，２，３）。
【請求項６】
前記第１手段（１１，２１，３１）は、前記入力データを第１ウェブサービスＡＰＩに入力して前記第１データベース（ＤＢ１）から１又は複数の第１施設情報（Ｄ１）を出力させ、
前記第２手段（１１，２１，３１）は、前記入力データを第２ウェブサービスＡＰＩに入力して前記第２データベース（ＤＢ２）から１又は複数の第２施設情報（Ｄ２）を出力させることを特徴とする請求項１〜５の何れかに記載の施設表示データ作成装置（６，８，２，３）。
【請求項７】
クライアント（８，２，３）からの要求に応じて制御装置（１１）に施設表示用データを作成させる施設表示データ作成装置（６）であって、
前記第１手段（１１）は、クライアント（８，２，３）からの入力データに応じて前記第１データベース（ＤＢ１）から１又は複数の第１施設情報（Ｄ１）を出力させ、
前記第２手段（１１）は、前記クライアント（８，２，３）からの前記入力データに応じて前記第２データベース（ＤＢ２）から１又は複数の第２施設情報（Ｄ２）を出力させることを特徴とする請求項１〜６の何れかに記載の施設表示データ作成装置（６）。
【請求項８】
請求項１〜７の何れかに記載の施設表示データ作成装置（６）を構成するサーバ（６）と、
前記サーバ（６）に所定位置の情報として現在位置情報を送信し、前記サーバ（６）から結果を受信して表示装置（２４，３４）の表示画面に表示させるクライアント（８，２，３）と、を備え、
前記クライアント（８，２，３）は、前記第４手段（１１ａ）により生成される表示用データを前記サーバ（６）から受信し、前記一致した施設の施設情報を隣接して表示装置（２４，３４）の表示画面に表示させることを特徴とする施設表示システム（９）。
【請求項９】
施設表示データ作成装置（６，８，２，３）を構成するサーバ（６）又はクライアント（８，２，３）の制御装置（１１，２１，３１）に、
入力データに応じて第１データベース（ＤＢ１）から１又は複数の第１施設情報（Ｄ１）を出力させる手順と、
前記入力データに応じて第２データベース（ＤＢ２）から１又は複数の第２施設情報（Ｄ２）を出力させる手順と、
前記第１施設情報（Ｄ１）が示す何れかの施設と前記第２施設情報（Ｄ２）が示す何れかの施設とが一致するか否か判定する手順と、
前記第１及び第２施設情報（Ｄ１及びＤ２）を複合して所定位置からの距離順にソートして表示させる表示用データを生成する手順であって、前記一致すると判定されたことを条件として当該一致した施設の施設情報を距離順に関わらず隣接して表示させるための表示用データを生成する手順と、を実行させることを特徴とする施設表示用データ作成プログラム。
【発明の詳細な説明】
【技術分野】
【０００１】
本発明は、複数のデータベースから出力される施設を複合表示させるための施設表示データ作成装置、施設表示システム、および施設表示用データ作成プログラムに関する。
【背景技術】
【０００２】
例えばナビゲーションシステムは、各種条件を入力すると当該条件を満たした施設を一覧表示する。このようなシステムが例えば複数のデータベースを備えている場合、複数のデータベースに共通の入力データを入力して施設を検索すると、その供給元のデータベースが異なるときに出力結果が互いに異なることがある。これは、データベースのコンテンツが当該データベースを管理するコンテンツプロバイダ（運営管理者）の情報網に依存するためであり、この場合、同一施設にも関わらず出力結果が一致しないためである。この種の関連技術が例えば特許文献１に開示されている。
【０００３】
特許文献１記載の技術によれば、ナビゲーション装置内のＤＶＤに記憶されている施設データベースを使用して施設を検索し、さらに検索ワードを情報センタに送信して情報センタの施設データベースでも施設を検索している。そして、これらの検索結果を照合し、ナビゲーション装置内で検索された施設の位置と情報センタで検索された施設の位置とが所定範囲内にある場合は同一の施設としてＤＶＤの施設データベースから抽出された施設の情報を削除し、当該施設情報のいずれか一方の情報のみを表示部に表示している。
【先行技術文献】
【特許文献】
【０００４】
【特許文献１】特開２００６−３８５５７号公報
【発明の概要】
【発明が解決しようとする課題】
【０００５】
しかしながら、特許文献１記載の技術を適用したとしても、ユーザは一方の情報のみしか得られない。仮に双方の結果を出力しようとしても同一施設であるにも関わらず当該施設情報が全く別の施設として結果を出力してしまい、ユーザが誤認識してしまう虞を生じている。
【０００６】
本発明の目的は、ユーザが極力誤認識することなく施設情報を表示させることができるようにした施設表示データ作成装置、施設表示システム、および、施設表示用データ作成プログラムを提供することにある。
【課題を解決するための手段】
【０００７】
請求項１記載の発明によれば、所定位置からの距離順に施設情報をソートするものの第１及び第２施設データベースの中で一致する施設については距離順に関わらず隣接して表示するための表示用データを作成している。このため、この作成された表示用データが隣接して表示されると、当該隣接した施設情報が一致しているようにユーザに認識させることができ、ユーザの誤認識を極力防止できる。特許請求の範囲に付した明細書構成要件の符号間の「，」は「又は」の意味を示す。
【図面の簡単な説明】
【０００８】
【図１】本発明の一実施形態について全体システムを概略的に示す図
【図２】車両用装置、携帯通信端末、サーバの各々の電気的構成を概略的に示すブロック図
【図３】表示装置の表示画面に表示するメニュー画面の一例
【図４】表示装置の表示画面に表示するサブメニュー画面の一例
【図５】クライアント側の処理を概略的に示すフローチャート
【図６】サーバ側の処理を概略的に示すフローチャート
【図７】第１データベースから出力される施設情報の一例
【図８】第２データベースから出力される施設情報の一例
【図９】第２データベースから出力される施設情報の一部を第１データベースの施設情報に複合した施設情報の一例（その１）
【図１０】第２データベースから出力される施設情報の他の例
【図１１】第２データベースから出力される施設情報の一部を第１データベースの施設情報に複合した施設情報の一例（その２）
【図１２】詳細画面の表示例
【発明を実施するための形態】
【０００９】
以下、本発明の一実施形態について図面を参照しながら説明する。システム１の車両用装置２は、携帯通信端末３、基地局４を介して外部のネットワーク５に接続し、このネットワーク５を通じてサーバ６との間で通信する。ネットワーク５は例えばインターネット通信回線網を含む。クライアント８は車両用装置２又は／及び携帯通信端末３を含む。またサーバクライアントシステム（施設表示システムに相当）９はサーバ６及びクライアント８を含む。
【００１０】
サーバ６は、例えば図示しないＣＰＵ、ＲＯＭ、ＲＡＭなどを有するコンピュータにより構成され、認証機能やデータ形式変換機能を備えるサーバとなっている。このサーバ６は、図２に機能的に示すように、制御装置１１、通信装置１２及び記憶部１３などを備える。通信装置１２はネットワーク５に接続するための機器を示す。記憶部１３は、クライアント認証用のデータなどを記憶する。サーバ６の制御装置１１は、車両用装置２から携帯通信端末３を通じて検索データ（入力データ）を受付けると表示用データを生成する。表示用データ生成部１１ａは制御装置１１内のＲＯＭなどに記憶されるソフトウェアを用いて実現される。
【００１１】
図１に示すように、システム１のサーバ６は、ネットワーク５を通じてコンテンツサーバ７ａ，７ｂと通信できる。システム１におけるコンテンツの利用形態の概略について説明する。サーバ６は、クライアント８の要求に応じてコンテンツサーバ７ａ，７ｂにて提供される各種のコンテンツを利用する。利用できるコンテンツには、例えば情報配信サービス、ＰＯＩ（Point Of Interest）検索サービス、ＳＮＳ、音楽ストリーミングサービスなどがある。
【００１２】
これらのコンテンツは、複数のコンテンツプロバイダＡＡＡ，ＢＢＢなどによって提供されている。これらのコンテンツは、コンテンツプロバイダＡＡＡ，ＢＢＢがそれぞれ定めたデータ形式にて提供されることが多い。システム１は、携帯通信端末３と各コンテンツサーバ７ａ，７ｂとの間に、各コンテンツプロバイダＡＡＡ，ＢＢＢから様々なデータ形式で提供されるコンテンツを形式変換するサーバ６を接続している。
【００１３】
本実施形態では、上記した各種のサービスのうちＰＯＩ検索サービスを提供するコンテンツサーバ７ａ，７ｂを想定している。コンテンツサーバ７ａは、１（又は複数）のコンテンツデータベースＤＢ１を接続している。コンテンツサーバ７ｂは、１又は複数のコンテンツデータベースＤＢ２…ＤＢｎを接続している。
【００１４】
複数のコンテンツサーバ７ａ，７ｂは、それぞれ接続されるデータベースＤＢ１，ＤＢ２…ＤＢｎを利用し、それぞれのコンテンツプロバイダＡＡＡ又はＢＢＢの管理下でコンテンツを提供する。コンテンツデータベースＤＢ１…ＤＢｎには、多数の施設の施設名（店舗名）、住所、施設の詳細情報、などがそれぞれ記憶される。各コンテンツサーバ７ａ，７ｂは、外部（例えばサーバ６、車両用装置２）からの入力データ（検索データ）に応じて適宜選択し選定された施設情報を応答出力する。
【００１５】
図２に示す車両用装置２は制御装置２１を備える。この制御装置２１は、図示しないＣＰＵ、ＲＯＭおよびＲＡＭなどのメモリを有するマイクロコンピュータを主として構成され、ＲＯＭなどに記憶されるプログラムに従って各種制御を行う。制御装置２１は、現在位置情報検出部２２、近距離無線通信部２３、各種情報を表示するための表示装置２４、操作入力部２５、音声入出力装置２６、記憶部２７、車両情報取得部２８などを内又は外に電気的に接続して設けている。
【００１６】
現在位置情報検出部２２は、所謂ＧＰＳユニット、ジャイロセンサ等を有しており自機位置、より具体的には車両用装置２が設けられる車両の自機位置（緯度及び経度情報）を検出する。制御装置２１は、現在位置情報検出部２２が検出した現在位置に基いて現在位置から目的地まで案内するナビゲーション処理を実行する。
【００１７】
音声入出力装置２６は、音声処理部、スピーカ駆動部、スピーカ、マイク駆動部、マイクなど（何れも図示せず）を接続してなるもので、各種の音信号（音声信号）をスピーカに伝達したりマイクから音信号（音声信号）を入力したりする。
【００１８】
記憶部２７は、例えばハードディスク又は不揮発性の記憶媒体などで構成されており、楽曲データ、ナビゲーション機能に用いる地図データ、および車両用装置２が実行する各種のアプリケーションなどを記憶するデータベースとなる。また、この記憶部２７は、各種のコンピュータプログラムやコンテンツプログラム、外部の装置や端末と相互に連携してコンテンツを実行する連携機能を実現する連携アプリケーションなどの各種のプログラム、及び、各プログラムで使用される画像情報（後述するアイコンＡ、Ｂなどの画像情報）、映像データなどを記憶する。
【００１９】
また、車両用装置２は携帯通信端末３と連携し各種アプリケーションを実行する。また、車両用装置２の制御装置２１は、外部のコンテンツサーバ７ａ，７ｂから提供される各種のコンテンツを当該携帯通信端末３との共通態様で利用可能なアプリケーションを実行する。
【００２０】
車両用装置２の近距離無線通信部２３は、携帯通信端末３の近距離無線通信部３３との間で近距離無線通信する。本実施形態では、車両用装置２は近距離無線通信部２３を通じて基地局４との間で通信接続できる。近距離無線通信部２３および３３間で無線通信接続する方式としてＢｌｕｅｔｏｏｔｈ（登録商標）がある。この近距離無線通信部２３は、例えばデータ通信用のプロファイルを用いて携帯通信端末３と接続する。
【００２１】
表示装置２４は、例えばカラー表示可能な液晶表示器又は有機ＥＬ表示器などを備える。表示装置２４は、例えば、車両用装置２の操作画面、アプリケーションの実行画面、又は、ナビゲーション機能使用時の地図画面などを表示する。操作入力部２５は、表示装置２４の表示面に設けられるタッチパネルなどにより構成される。ユーザはこれらの操作入力部１４を用いて操作入力する。なお、タッチパネルとしては例えば感圧方式、電磁誘導方式あるいは静電誘導方式など、任意の方式のものを採用できる。車両情報取得部２８は車両に関する各種情報を取得する。車両情報取得部２８は例えば車両の速度情報やエアコンの設定温度などの車両に関する各種情報を取得する。また、図示しないが、制御装置２１はテレマティクスサービス専用の通信モジュール（ＤＣＭ（Data Communication Module））と接続しており、緊急通報サービス用の音声、データも外部との間で送受信可能としている。
【００２２】
携帯通信端末３は、前述の車両用装置２とほぼ同様の電気的構成を備える。この携帯通信端末３は、図示しないマイクロコンピュータを主体とした制御装置３１を備える。この携帯通信端末３の制御装置３１は、図示しないＣＰＵ、ＲＯＭおよびＲＡＭなどのメモリを有するマイクロコンピュータを主として構成され、ＲＯＭなどに記憶されるプログラムに従って各種制御を行う。制御装置３１は、ＧＰＳユニット等により自機の現在位置（緯度及び経度情報）を検出する現在位置情報検出部３２、近距離無線通信部３３、各種情報を表示するための表示装置３４、操作入力部３５、音声入出力装置３６、記憶部３７、などを内又は外に電気的に接続して設けている。
【００２３】
現在位置情報検出部３２は、ＧＰＳユニットなどにより位置検出したり、又は、基地局４の位置に基いて現在位置を検出したりするものであり、携帯通信端末３の自機位置を検出する。近距離無線通信部３３は、前述の近距離無線通信部２３と同様の機能を備えるため、ここでは詳細な説明を割愛する。
【００２４】
表示装置３４は、例えばカラー表示可能な液晶表示器又は有機ＥＬ表示器を備えるもので、例えば記憶部３７に記憶される画像、映像などが表示される。記憶部３７は、例えば不揮発性の記憶媒体で構成されており、各種のコンピュータプログラムやコンテンツプログラム、外部の装置や端末と相互に連携してコンテンツを実行する連携機能を実現する連携アプリケーションなどの各種のプログラム、及び、各プログラムで使用される画像情報（後述するアイコンＡ、Ｂなどの画像情報）、映像データなどを記憶している。
【００２５】
操作入力部３５は、表示装置３４の表示画面上に配置されるタッチパネル、および、当該表示画面の周囲に配置された接触式のスイッチなどを用いて構成されている。携帯通信端末３には操作入力部３５から情報入力される。なお、タッチパネルとしては、例えば感圧方式、電磁誘導方式、あるいは静電誘導方式など、任意の方式のものを採用できる。
【００２６】
音声入出力装置３６は、音声処理部、スピーカ駆動部、スピーカ、マイク駆動部、マイクなど（何れも図示せず）によるもので、各種の音信号（音声信号）をスピーカに伝達したり、マイクから音信号（音声信号）を入力する。
【００２７】
記憶部３７は、電話帳データや楽曲などを記憶すると共に、携帯通信端末３側で実行される各種のアプリケーション、ユーザ保存データなどが記憶される。また、この記憶部３７は、各プログラムで使用される画像情報（後述するアイコンＡ、Ｂなどの画像情報）、映像データなどを記憶している。無線通信部３８は基地局４との間で通信を行う。この通信方式としては一般的な携帯端末が採用する各種無線通信方式を用いることができるためその詳細説明を省略する。
【００２８】
上記構成の動作について、図３〜図１２に示すフローチャート、表示用データリスト、各種画面を参照して説明する。図３に示すように、車両用装置２は、制御装置２１が図３に示すメニュー画面を表示装置２４の表示画面に表示させる。この図３に示す画面例では、「サーチ」「チェックイン」「マップ」「ミュージック」「テレビ」「ラジオ」「燃費」「ビデオ」などの各種ボタンを表示させることでユーザに選択させる。ここで、「サーチ」ボタンが押下されると、車両用装置２の制御装置２１はこの押下信号を検出し、ユーザが所望した施設検索の実行を開始する。
【００２９】
このとき、車両用装置２の制御装置２１は図４に示す詳細サーチ画面を表示装置２４の表示画面に表示させる。また、その他のボタン（例えば、「チェックイン」「マップ」「ミュージック」「テレビ」etc）が押下されたとしても、当該表示内容を反映した機能を実現する。本実施形態の特徴とは関わらないためこの詳細説明は省略する。
【００３０】
ユーザの操作入力部２５の操作により図４に示す「グルメ」ボタンが押下されると、制御装置２１はこの押下信号を検出し、制御装置２１は「グルメ」に関する詳細サーチ画面（例えば「和食」「洋食」etc）を表示させる。この詳細サーチ画面は「グルメ」の詳細内容を示すもので、詳細は省略するが各種ボタンを表示装置２４の表示画面に表示させることで、当該詳細内容のユーザ選択を促すものとなっている。
【００３１】
その後、ユーザの操作入力部２５の操作により、例えば検索ワード「和食」が入力されると（図５のＴ１）、車両用装置２は、現在位置情報検出部２２により検出される現在位置情報をこの検索ワードと共に、近距離無線通信部２３、３３、及び基地局４並びにネットワーク５を通じてサーバ６に送信し（図５のＴ２）、サーバ６の応答を待機する（図５のＴ３）。
【００３２】
図６に示すように、サーバ６は車両用装置２から検索条件を入力すると（図６のＳ１）、ネットワーク５を通じてコンテンツサーバ７ａに検索条件を入力し、コンテンツプロバイダＡＡＡが提供するウェブサービスＡＰＩ（Ａ）により検索結果Ｄ１（第１施設情報相当）を取得する（図６のＳ２）。
【００３３】
検索結果Ｄ１には、コンテンツサーバ７ａがデータベースＤＢ１から選定する１又は複数の施設の名称（店舗の名称）、住所、施設の詳細情報、が含まれる。ウェブサービスＡＰＩ（Ａ）は、所定のコンテンツプロバイダＡＡＡが管理するコンテンツサーバ７ａにより提供されるＡＰＩであり、サーバ６は検索結果Ｄ１を取得すると、車両用装置２から与えられた現在位置情報に応じて現在位置（所定位置相当）から近い順にソートする（Ｓ３）。
【００３４】
図７は、サーバ６内で検索結果Ｄ１を距離順にソートしたリストイメージ結果を示している。ここで、サーバ６は、ウェブサービスＡＰＩ（Ａ）を提供するサービス提供元、又は、データベースＤＢ１のデータ提供元、を示す提供元情報Ｃａ（例えばアイコンＡ）とその施設の店名、住所、施設の詳細情報を紐付けて管理する。
【００３５】
また、サーバ６側では、ネットワーク５を介してコンテンツサーバ７ｂに前述と同一の検索条件を入力し、コンテンツプロバイダＢＢＢが提供するウェブサービスＡＰＩ（Ｂ）により検索結果Ｄ２（第２施設情報相当）を取得する（Ｓ４）。
【００３６】
検索結果Ｄ２には、コンテンツサーバ７ｂがデータベースＤＢ２…ＤＢｎから選定する１又は複数の施設の名称（店舗の名称）、住所、施設の詳細情報、などが含まれる。ウェブサービスＡＰＩ（Ｂ）は、コンテンツプロバイダＢＢＢが管理するコンテンツサーバ７ｂにより提供されるＡＰＩであり、サーバ６は検索結果Ｄ２を取得すると、車両用装置２から与えられる現在位置情報（緯度、経度情報）に応じてその現在位置から近い順にソートする（図６のＳ５）。
【００３７】
図８は、サーバ６内で検索結果Ｄ２を距離順でソートしたリストイメージ結果を示している。ここで、サーバ６の制御装置１１は、ウェブサービスＡＰＩ（Ｂ）を提供するサービス提供元、又は、データベースＤＢ２のデータ提供元、を示す提供元情報Ｃｂ（例えばアイコンＢ）とその施設の名称（店舗の名称）、住所、施設の詳細情報を紐付け、制御装置１１に接続される記憶部１３において管理する。
【００３８】
この後、サーバ６の制御装置１１は、例えば検索結果Ｄ１中に検索結果Ｄ２の施設情報を全て距離順にソートして複合したリストを作成し（図６のＳ６〜Ｓ１８）、距離順にソート（整列）した施設情報（表示用データ）をクライアント８である車両用装置２に送信する（図６のＳ１９）。
【００３９】
ここで、サーバ６が検索結果Ｄ１中に検索結果Ｄ２の施設情報Ｄｂを挿入する際には、電話番号、店名（施設名）、住所、が各々一致するか判定する（図６のＳ６、Ｓ１２、Ｓ１３）。サーバ６は一つも一致していないと判定すれば、同一施設がウェブサービスＡＰＩ（Ａ）のデータベースＤＢ１に存在しないと判断し（Ｓ１４）、ウェブサービスＡＰＩ（Ａ）の検索結果Ｄ１に検索結果Ｄ２の施設情報Ｄｂを距離順に挿入する（図６のＳ１５）。
【００４０】
例えば、サーバ６は、図８の「旬の和食Ｖ１０」の施設情報Ｄｂを図７の検索結果Ｄ１中に距離順で挿入すると、図９に示すように、この施設情報Ｄｂは「和食居酒屋Ｖ４」と「創作和食Ｖ５」の間に挿入される。
【００４１】
しかし、サーバ６は各種情報が一致した場合には、検索結果Ｄ２の施設情報Ｄｂと検索結果Ｄ１の施設情報Ｄａとを一致させて施設情報Ｄｃとして挿入する（図６のＳ８、Ｓ１８）。発明者らによれば、表記のバラつきが最小となるのは、施設の住所や店名よりも電話番号であることが確認されており、電話番号が一致すれば、その他の条件は完全一致していなくても良い（図６のＳ６以降の条件参照）。すなわち、同一施設と判断するには電話番号情報を最優先情報として判断すると良い。
【００４２】
本実施形態では、具体的には下記の何れかの条件を満たせば、検索結果Ｄ２の施設情報Ｄｂと検索結果Ｄ１の施設情報Ｄａとを一致させて施設情報Ｄｃとして挿入する（図６のＳ８、Ｓ１８）。
（Ａ）電話番号一致、且つ、所定距離以内（図６のＳ６、Ｓ７共にＹＥＳ）
（Ｂ）電話番号一致、且つ、店名一致、且つ、住所一致（所定距離以内にない場合）
（図６のＳ６、Ｓ１０、Ｓ１１でＹＥＳ  ：  Ｓ７でＮＯ）
（Ｃ）店名一致、又は、住所一致（所定距離以内にある場合）
（図６のＳ１２又はＳ１３且つＳ１６でＹＥＳ  ：  Ｓ６でＮＯ）
サーバ６は、これらの（Ａ）〜（Ｃ）の何れかの条件を満たすときに同一施設であると判断する。例えば、データベースＤＢ１…ＤＢｎに記憶される住所は、番地表記に「…丁目…番地」となっていたり、同じ番地であっても、ハイフン繋ぎとなっていたりする場合もある。
【００４３】
また、店舗の名称についても、「株式会社」を「中括弧付きの「株」」としたり、「…支店」を「…店」と表記したりとバラつきが大きく、これらを総合的に判断し、前記の（Ａ）〜（Ｃ）の条件に絞っている。また、ハイフン記号有無、数字の全角、半角の差等の補完処理を行わず、前述の（Ａ）〜（Ｃ）の何れかの条件を満たすときに同一施設と見做すことが情報改竄防止の観点から望ましい。
【００４４】
図１０は検索結果Ｄ２の他の例を示す。図７の検索結果Ｄ１と図１０の検索結果Ｄ２とを比較すると、互いに異なるデータベースＤＢ１，ＤＢ２の検索結果Ｄ１，Ｄ２であるため「和食レストランＶ３」の施設情報Ｄｂが共にヒットすることがある。
【００４５】
しかし、各データベースＤＢ１、ＤＢ２には「和食レストランＶ３」の位置情報（緯度、経度情報）が互いに異なるように登録されていることがある。このため、サーバ６が車両用装置２の制御装置２１から送信される現在位置情報に応じて距離を検出しても同一距離とはならず異なる距離となることがある。図７に示す「和食レストランＶ３」の現在位置からの距離情報は２００ｍであるのに対し、図１０に示す「和食レストランＶ３」の現在位置からの距離情報は２７０ｍとなっている。
【００４６】
サーバ６は「和食レストランＶ３」の施設情報Ｄｂを「和食レストランＶ３」の施設情報Ｄａに一致させて施設情報Ｄ１中に施設情報Ｄｃとして挿入する（図１１参照）。すなわち、サーバ６は車両用装置２の現在位置からの距離情報「２７０ｍ」を距離情報「２００ｍ」に変更し、当該変更後の施設情報Ｄｃを挿入してリストを作成する。
【００４７】
図１１に示す例の場合、施設情報Ｄｃの挿入先を、提供元情報Ｃａに対応する施設名「和食レストランＶ３」の直後としているが、提供元情報Ｃａに対応する施設名「和食レストランＶ３」の直前としても良い。
【００４８】
サーバ６は、全ての検索結果Ｄ２の施設情報Ｄｂの挿入処理を終了すると（図６のＳ９：ＹＥＳ）、施設情報リスト（表示用データ）について携帯通信端末３を通じて車両用装置２に送信する（図６のＳ１９）。
【００４９】
このとき、サーバ６は施設情報リストとして、サービスの提供元情報Ｃａ，Ｃｂ（アイコンＡ、Ｂの表示用データに相当）、施設の名称、現在位置からの距離情報、を施設毎に送信する。サービスの提供元情報Ｃａ，Ｃｂは各コンテンツプロバイダＡＡＡ，ＢＢＢの識別情報を示す。サーバ６はクライアント８（携帯通信端末３又は車両用装置２）に転送する情報を極力必要な情報のみに限定するため、サービスの提供元情報Ｃａ，Ｃｂ、施設名称のみとし、距離情報は送信してもしなくても良い。
【００５０】
また、サーバ６はサービスの提供元情報Ｃａ，Ｃｂをクライアント８側に送信するが、データベースＤＢ１…ＤＢｎが互いに異なる提供元から提供されている場合には、データベースＤＢ１…ＤＢｎのデータ提供元情報（アイコンＡ、Ｂの表示用データに相当）をサーバ６からクライアント８側に送信するようにしても良い。
【００５１】
サーバ６が施設情報リストを車両用装置２に送信すると、車両用装置２の制御装置２１は応答有りと判断し（図５のＴ３：ＹＥＳ）、ソートされた施設情報リストを表示装置２４の表示画面に表示させる（図５のＴ４）。図１１はコンテンツをリストイメージとして示しているが、このときの表示装置２４の画面表示内容は、図１１に示すコンテンツとほぼ同様の内容となる。
【００５２】
すなわち、車両用装置２の制御装置２１は、検索施設名称（寿司店Ｖ１、割烹Ｖ２、和食レストランＶ３…）、現在位置からの距離（１００ｍ，１５０ｍ，２００ｍ…）を表示装置２４の表示画面に表示させる。また、車両用装置２の制御装置２１は、サーバ６から送信された提供元情報Ｃａ，Ｃｂを識別情報とし、これらの識別情報に紐付けられ記憶部２７に蓄積されたアイコンＡ，アイコンＢの画像情報を表示装置２４の表示画面に表示させる。
【００５３】
すると、車両用装置２側では、同一施設（「和食レストランＶ３」）が前後（上下）に並べて表示されるため、ユーザは同一施設であることを容易に認識できる。しかも、車両用装置２は現在位置からの距離を同一として表示装置２４の表示画面に表示させているため、ユーザは混乱し難くなる。
【００５４】
また、サーバ６がクライアント８（携帯通信端末３又は車両用装置２）に施設情報リストとして距離情報を含めずに送信するときには、サーバ６はコンテンツサーバ７ａ，７ｂから施設の位置情報を取得してクライアント８に送信することもできる。前述のように、サーバ６が一致施設の位置情報を送信する場合には何れかの位置情報を送信しても良いし、双方の位置情報を送信しクライアント８側で選択しても良い。
【００５５】
すると、クライアント８側では、前述の距離情報としてクライアント８の現在位置情報検出部３２又は２２にて検出された現在位置情報を使用し、サーバ６から送信された施設の位置情報との間の距離を算出し、表示装置３４又は２４の表示画面に表示させることができる。この場合、クライアント８（特に車両用装置２側）の位置情報を用いて距離を算出すれば、サーバ６が示した施設までの距離精度がサーバ６側で算出した距離精度より高くなり、ユーザにとって都合が良い。
【００５６】
車両用装置２は、ユーザの操作入力部１４の操作により、例えば提供元情報Ｃａの「和食レストランＶ３」が押下され選択されると（図５のＴ５）、表示装置２４の表示画面に図１２に示す詳細情報を表示させる（図５のＴ６）。
【００５７】
このときの詳細情報は、コンテンツプロバイダＡＡＡがコンテンツサーバ７ａに登録したＷＥＢページとなる。例えば、図５のステップＴ５において、提供元情報Ｃｂの「和食レストランＶ３」が選択されると、表示装置２４の表示画面には、コンテンツプロバイダＢＢＢがコンテンツサーバ７ｂに登録したＷＥＢページが表示される。
【００５８】
この場合、車両用装置２はネットワーク５を通じてコンテンツサーバ７ａ又は７ｂに接続し、詳細情報のコンテンツを取得し表示装置２４の表示画面上に表示させる。図１２に示すように、サービス提供元情報Ｃａが施設の詳細情報と共に表示装置２４の表示画面に表示される。
【００５９】
本実施形態によれば、サーバ６は、各ウェブサービスＡＰＩ（Ａ）（Ｂ）によりコンテンツサーバ７ａ，７ｂを通じて各データベースＤＢ１，ＤＢ２…ＤＢｎから施設情報を取得する。そしてサーバ６は車両用装置２の現在位置からの距離順にそれぞれソートし、これらのデータベースＤＢ１，ＤＢ２…ＤＢｎの中で一致する施設について距離順に関わらず隣接して表示させるための表示用データを作成している。
【００６０】
このため、例えばサーバ６が携帯通信端末３を介して車両用装置２に表示用データを送信し、車両用装置２の制御装置２１が表示装置２４の表示画面に当該表示用データを表示させると、一致する施設については距離順に関わらず前後（上下）に隣接して表示させることができる。これにより、前後（上下）に隣接した施設情報が一致しているようにユーザに認識させることができ、ユーザによる誤認識を極力防止できる。
【００６１】
サーバ６の制御装置１１、又は、クライアント８の車両用装置２の制御装置２１は、一致した施設の距離情報を一致させて隣接して表示するための表示用データを生成している。このため表示用データが例えば車両用装置２の表示装置２４に表示されると、前後（上下）に隣接した施設情報の距離が一致していることをユーザに認識させることができ、ユーザによる施設不一致の誤認識を極力防止できる。
【００６２】
サーバ６は、サービス提供元又はデータ提供元の提供元情報Ｃａ、Ｃｂ（識別情報）を車両用装置２に送信し、車両用装置２の制御装置２１はこの提供元情報Ｃａ、Ｃｂを識別情報としたアイコンＡ、Ｂの画像情報を表示装置２４の表示画面に表示させている。これにより、ユーザはサービス提供元又はデータ提供元を容易に認識できる。
【００６３】
サーバ６は、コンテンツサーバ７ａ，７ｂが提供する各ウェブサービスＡＰＩ（Ａ）（Ｂ）に入力してデータベースＤＢ１，ＤＢ２からそれぞれ施設情報を出力させている。このため、ネットワーク５を通じた各種のサービス事業に適宜用いることができる。
【００６４】
サーバ６は、前述条件（Ａ）〜（Ｃ）に基づいて施設の一致を判定しているため、各データベースＤＢ１…ＤＢｎに記憶される施設情報の相互一致／不一致を極力厳密に判定できる。
【００６５】
サーバ６が、クライアント８（車両用装置２、携帯通信端末３）側の表示用データを生成すると、クライアント８側の処理負担を軽減できる。
本実施形態では、車両用装置２は基地局４との間で携帯通信端末３を介して通信している。車両用装置２は近距離無線通信部２３、３３を用いて携帯通信端末３との間で近距離無線通信によってデータ送受信できる。このため当該施設情報を携帯通信端末３の表示画面上にも連携表示させることができる。すなわち、携帯通信端末３の制御装置３１が表示装置３４の表示画面に表示させるときには各施設情報を距離情報と共に表示させる。また、制御装置３１は、サーバ６から送信された提供元情報Ｃａ，Ｃｂを識別情報とし、これらの識別情報に紐付けられ記憶部３７に蓄積されたアイコンＡ，アイコンＢの画像情報を前記の施設情報と共に表示装置２４の表示画面に表示させる。これにより、連携表示でき利便性が高まる。
【００６６】
（他の実施形態）
本発明は、前述実施形態に限定されるものではなく、例えば、以下に示す変形または拡張が可能である。
表示用データ生成部１１ａによる表示用データ生成機能は、制御装置１１を構成するコンピュータなどがＲＯＭなどに記憶されるソフトウェアを実行することにより実現される機能であるが、制御装置２１，３１を構成するマイクロコンピュータなどがＲＯＭなどの記憶装置に記憶されるソフトウェアを実行することにより実現しても良い。
【００６７】
また、ネットワーク５を介さず車両用装置２又は携帯通信端末３側のみで処理する態様に適用できる。車両用装置２及び／又は携帯通信端末３側に、施設を検索するための地図データベース（記憶部２７，記憶部３７）を複数備えていれば、これらの地図データベースに記憶されている施設情報が互いに異なる場合もある。そこで、クライアント８側にて前述実施形態に示した技術を用いることで、一致した施設を距離順に関わらず隣接して表示させるための表示用データを作成するようにしても良い。
【００６８】
店舗（施設）のオーナーが変更になった場合、例えばデータベースＤＢ１に記憶される店舗の名称のみ変更され、他のデータベースＤＢ２等には登録変更がなされないことがある。このようなときに備えて、各データベースＤＢ１、ＤＢ２の店舗の名称を無視して電話番号又は住所等の他の条件が一致していることを条件として同一施設と見做して両者を隣接して表示させるようにすると良い。すると、店舗のオーナーなどが変更となり例えばデータベースＤＢ１のみが更新されたとしても、各データベースＤＢ１、ＤＢ２に記憶される施設を同一施設として隣接表示させることができ、ユーザが容易に把握できる。
【００６９】
また、車両用装置２の記憶部２７に記憶される地図データの施設と、コンテンツサーバ７ａ，７ｂ側のデータベースＤＢ１又はＤＢ２…ＤＢｎ中の施設とが前述実施形態に示した条件で一致することもある。そこで、これらの施設を距離順に関わらず隣接して表示させるための表示用データを作成するようにしても良い。
【００７０】
これらの表示用データの作成主体は、サーバ６の制御装置１１、車両用装置２の制御装置２１、携帯通信端末３の制御装置３１の何れでも良い。また、施設表示データ作成装置の各手段の機能は、サーバ６に限らず、車両用装置２、携帯通信端末３などのクライアント８側に持たせても良い。
【００７１】
車両用装置２の制御装置２１が現在位置からの距離に応じて表示装置２４の表示画面に表示させる形態を示したが、その他様々な位置（所定位置）からの距離を表示させる形態に適用してもよい。車両用装置２の制御装置２１が現在位置（所定位置）からの距離を互いに一致させて隣接して表示させるときには、距離情報は何れか一方に合わせれば良い。また、距離順のソートは距離の短い順に限らず長い順であっても良い。
【符号の説明】
【００７２】
図面中、２は車両用装置（施設表示データ作成装置）、３は携帯通信端末（施設表示データ作成装置）、６はサーバ（施設表示データ作成装置）、８はクライアント、９はサーバクライアントシステム（施設表示システム）、１１は制御装置（第１手段，第２手段，第３手段，第４手段，第５手段）、１１ａは表示用データ生成部（第４手段，第５手段）、２１は制御装置（第１手段，第２手段，第３手段，第４手段，第５手段）、２４，３４は表示装置、３１は制御装置（第１手段，第２手段，第３手段，第４手段，第５手段）、を示す。
【図１】
2014085127.tif 000003
【図２】
2014085127.tif 000004
【図３】
2014085127.tif 000005
【図４】
2014085127.tif 000006
【図５】
2014085127.tif 000007
【図６】
2014085127.tif 000008
【図７】
2014085127.tif 000009
【図８】
2014085127.tif 000010
【図９】
2014085127.tif 000011
【図１０】
2014085127.tif 000012
【図１１】
2014085127.tif 000013
【図１２】
2014085127.tif 000014